(57)【要約】【課題】容易に各頁の拡大縮小率を柔軟に設定できることを可能にするとともに、各頁の読みやすさを保ちながら、用紙効率を向上させることで、印刷枚数を軽減することを可能にする印刷処理装置および方法を提供する。【解決手段】ユーザがＮｉｎ１のフォーマットを元に、大きさ・位置・方向・用紙枚数を設定できる機能を設け、Ｎｉｎ１のレイアウト編集を自由に且つ容易に行うことができる。また、ユーザがＮｉｎ１のレイアウト編集を短時間で行うことができるように、最多サイズ優先モード・最大サイズ優先モード・最小サイズ優先モード・印刷枚数優先モードを設ける。【選択図】図１
2005269539.tif 000002
【特許請求の範囲】
【請求項１】
１枚の用紙に複数の画像を割り付けた印刷データを生成する印刷データ生成手段を具備する印刷処理装置において、
前記印刷データの印刷属性を指示する印刷属性指示手段と、
前記複数の画像を割り付ける分割形式を指示する分割形式指示手段と、
前記分割形式指示手段で指示した分割形式で分割した用紙の範囲のレイアウトを指示するレイアウト指示手段と、
前記印刷属性と前記分割形式と前記レイアウトの指示とに基づいた割り付け印刷データの仮想用紙を生成する仮想用紙生成部と、
前記仮想用紙生成部で生成した仮想用紙を表示装置に表示する表示手段と
を具備し、
前記印刷データ生成手段は、
前記印刷属性と前記分割形式と前記レイアウトの指示とに基づいた割り付け印刷データを生成する
ことを特徴とする印刷処理装置。
【請求項２】
前記レイアウト指示手段は、
複数の分割した用紙の範囲の結合を指示する結合指示手段と、
前記分割した用紙の範囲の分割を指示する分割指示手段と、
前記分割した用紙の範囲に印刷する画像を設定する画像設定手段と
を具備することを特徴とする請求項１記載の印刷処理装置。
【請求項３】
前記表示手段は、
前記分割形式指示手段が指示した分割形式に応じた印刷頁数、前記印刷データの原稿頁数の少なくとも１つを表示する
ことを特徴とする請求項１記載の印刷処理装置。
【請求項４】
前記分割形式指示手段は、
前記分割形式を指示する際の優先事項を指示する優先事項指示手段
を具備することを特徴とする請求項１記載の印刷処理装置。
【請求項５】
前記優先事項指示手段は、
前記分割した用紙の範囲における最多サイズを考慮して分割形式を指示する最多サイズ優先モードと、
前記分割した用紙の範囲における最大サイズを考慮して分割形式を指示する最大サイズ優先モードと、
前記分割した用紙の範囲における最小サイズを考慮して分割形式を指示する最大サイズ優先モードと、
前記用紙枚数と前記複数の原稿の数とを考慮して分割形式を指示する用紙枚数優先モードと
を具備することを特徴とする請求項４記載の印刷処理装置。
【請求項６】
１枚の用紙に複数の画像を割り付けた印刷データを生成する印刷処理方法において、
前記印刷データの印刷属性を指示し、
前記複数の画像を割り付ける分割形式を指示し、
該指示した分割形式で分割した分割した用紙の範囲のレイアウトを指示し、
前記印刷属性と前記分割形式と前記レイアウトの指示とに基づいた割り付け印刷データの仮想用紙を生成し、
該生成した仮想用紙を表示装置に表示する
ことを特徴とする印刷処理方法。
【請求項７】
前記レイアウトを指示する際に、
複数の分割した用紙の範囲の結合を指示し、
前記分割した用紙の範囲の分割を指示し、
前記分割した用紙の範囲に印刷する画像を設定する
ことを特徴とする請求項６記載の印刷処理方法。
【請求項８】
前記指示した分割形式に応じた印刷頁数、前記印刷データの原稿頁数の少なくとも１つを表示する
ことを特徴とする請求項６記載の印刷処理方法。
【請求項９】
前記分割形式を指示する際に、
前記分割した用紙の範囲における最多サイズを考慮して分割形式を指示する最多サイズ優先モードと、前記分割した用紙の範囲における最大サイズを考慮して分割形式を指示する最大サイズ優先モードと、前記分割した用紙の範囲における最小サイズを考慮して分割形式を指示する最大サイズ優先モードと、前記用紙枚数と前記複数の原稿の数とを考慮して分割形式を指示する用紙枚数優先モードとを設定する
ことを特徴とする請求項６記載の印刷処理方法。
【発明の詳細な説明】
【技術分野】
【０００１】
本発明は、印刷処理装置および方法に関し、特に、１枚の用紙に複数の画像を割り付けるＮｉｎ１コピーを実施する印刷処理装置および方法に関する。
【背景技術】
【０００２】
記録紙に画像形成する際に、複数頁の画像を縮小処理して１頁の画像に集約する「集約コピー機能」と呼ばれる応用機能が存在している。この集約コピー機能の中で、複数Ｎ頁の画像を１頁（記録紙片面）に縮小配置する機能は、「Ｎｉｎ１コピー」と呼ばれている。例えば、Ｎ＝２である場合には、２頁の画像を１頁（記録紙片面）に縮小配置する機能として、「２イン１コピー」と呼ばれている。
【０００３】
例えば、単一のジョブ内で集約コピー機能に異なる設定を適用することが可能な画像形成装置がある（例えば、特許文献１参照。）。
【０００４】
例えば、印刷データを紙の長辺と平行に分割して集約するプリンタドライバがある（例えば、特許文献２参照。）。
【特許文献１】特開２００３−１０１６９５号公報
【特許文献２】特開２００３−８９２５１号公報
【発明の開示】
【発明が解決しようとする課題】
【０００５】
しかし、上記特許文献に開示された技術において、ユーザの好みに各々のドキュメントを縮倍が困難であること、同一ドキュメントしか縮倍できないこと、各ドキュメントの部分部分しか合成できないこと、縦横比が変化してしまうことで紙の余白部分が発生してしまうこと等が問題点である。
【０００６】
そこで、本発明は、容易に各頁の拡大縮小率を柔軟に設定できることを可能にするとともに、各頁の読みやすさを保ちながら、用紙効率を向上させることで、印刷枚数を軽減することを可能にする印刷処理装置および方法を提供することを目的とする。
【課題を解決するための手段】
【０００７】
上記目的を達成するため、請求項１の発明は、１枚の用紙に複数の画像を割り付けた印刷データを生成する印刷データ生成手段を具備する印刷処理装置において、前記印刷データの印刷属性を指示する印刷属性指示手段と、前記複数の画像を割り付ける分割形式を指示する分割形式指示手段と、前記分割形式指示手段で指示した分割形式で分割した用紙の範囲のレイアウトを指示するレイアウト指示手段と、前記印刷属性と前記分割形式と前記レイアウトの指示とに基づいた割り付け印刷データの仮想用紙を生成する仮想用紙生成部と、前記仮想用紙生成部で生成した仮想用紙を表示装置に表示する表示手段とを具備し、前記印刷データ生成手段は、前記印刷属性と前記分割形式と前記レイアウトの指示とに基づいた割り付け印刷データを生成することを特徴とする。
【０００８】
また、請求項２の発明は、請求項１の発明において、前記レイアウト指示手段は、複数の分割した用紙の範囲の結合を指示する結合指示手段と、前記分割した用紙の範囲の分割を指示する分割指示手段と、前記分割した用紙の範囲に印刷する画像を設定する画像設定手段とを具備することを特徴とする。
【０００９】
また、請求項３の発明は、請求項１の発明において、前記表示手段は、前記分割形式指示手段が指示した分割形式に応じた印刷頁数、前記印刷データの原稿頁数の少なくとも１つを表示することを特徴とする。
【００１０】
また、請求項４の発明は、請求項１の発明において、前記分割形式指示手段は、前記分割形式を指示する際の優先事項を指示する優先事項指示手段を具備することを特徴とする。
【００１１】
また、請求項５の発明は、請求項４の発明において、前記優先事項指示手段は、前記分割した用紙の範囲における最多サイズを考慮して分割形式を指示する最多サイズ優先モードと、前記分割した用紙の範囲における最大サイズを考慮して分割形式を指示する最大サイズ優先モードと、前記分割した用紙の範囲における最小サイズを考慮して分割形式を指示する最大サイズ優先モードと、前記用紙枚数と前記複数の原稿の数とを考慮して分割形式を指示する用紙枚数優先モードとを具備することを特徴とする。
【００１２】
また、請求項６の発明は、１枚の用紙に複数の画像を割り付けた印刷データを生成する印刷処理方法において、前記印刷データの印刷属性を指示し、前記複数の画像を割り付ける分割形式を指示し、該指示した分割形式で分割した分割した用紙の範囲のレイアウトを指示し、前記印刷属性と前記分割形式と前記レイアウトの指示とに基づいた割り付け印刷データの仮想用紙を生成し、該生成した仮想用紙を表示装置に表示することを特徴とする。
【００１３】
また、請求項７の発明は、請求項６の発明において、前記レイアウトを指示する際に、複数の分割した用紙の範囲の結合を指示し、前記分割した用紙の範囲の分割を指示し、前記分割した用紙の範囲に印刷する画像を設定することを特徴とする。
【００１４】
また、請求項８の発明は、請求項６の発明において、前記指示した分割形式に応じた印刷頁数、前記印刷データの原稿頁数の少なくとも１つを表示することを特徴とする。
【００１５】
また、請求項９の発明は、請求項６の発明において、前記分割形式を指示する際に、前記分割した用紙の範囲における最多サイズを考慮して分割形式を指示する最多サイズ優先モードと、前記分割した用紙の範囲における最大サイズを考慮して分割形式を指示する最大サイズ優先モードと、前記分割した用紙の範囲における最小サイズを考慮して分割形式を指示する最大サイズ優先モードと、前記用紙枚数と前記複数の原稿の数とを考慮して分割形式を指示する用紙枚数優先モードとを設定することを特徴とする。
【発明の効果】
【００１６】
本発明によれば、印刷用紙の削減を実現することが可能になり、頁配置を自由にレイアウトすることが可能になり、各頁の大きさを自由に選択することが可能になり、レイアウト途中でも削除した頁を復活させることが可能になり、不要である頁を削除することが可能になり、レイアウト編集が容易に行うことが可能になるという効果を奏する。
【００１７】
また、本発明によれば、空白頁を使用することで、各頁の向きを揃えることが可能になるという効果も奏する。
【００１８】
また、本発明によれば、原稿頁数と印刷用紙枚数が表示されることで、印刷用紙の削減枚数を知ることができるという効果も奏する。
【発明を実施するための最良の形態】
【００１９】
以下、本発明の実施の形態について添付図面を参照して詳細に説明する。
【００２０】
図１は、本発明に係る印刷処理装置１の機能的な構成の一例を示すブロック図である。
【００２１】
図１に示すように、印刷処理装置１は、プリンタ２および表示装置３と接続している。
【００２２】
なお、印刷処理装置１はプリンタ２の機能を包含するものであってもよい。
【００２３】
ここで、印刷処理装置１の機能的な構成について詳細に説明する。
【００２４】
図１に示すように、印刷処置装置１は、印刷属性指示部４、分割形式指示部５、レイアウト指示部６、仮想用紙生成部７、印刷設定画面表示制御部８、印刷データ生成部９、印刷データ送信部１０から構成されている。
【００２５】
印刷属性指示部４は、用紙サイズ、部数、原稿の向きおよび用紙の向き等の印刷属性を指示する処理を行い、ここで指示された印刷属性は仮想用紙生成部および印刷データ生成部９に渡される。
【００２６】
分割形式指示部５は、Ｎｉｎ１コピーの分割方式を指示する処理を行い、ここで指示されたＮｉｎ１コピーの分割方式は仮想用紙生成部７および印刷データ生成部９に渡される。
【００２７】
なお、分割形式指示部５は、機能として、Ｎｉｎ１コピーのレイアウト設定を短時間で行うことが可能な優先モード（最多サイズ画像優先モード、最大サイズ画像優先モード、最小サイズ画像優先モードおよび印刷枚数優先モード）に移行するための優先モード指示手段１１を有する。各優先モードについては後述にて詳細に説明する。
【００２８】
レイアウト指示部６は、Ｎｉｎ１コピーの分割された範囲のレイアウトを指示する処理を行い、ここで指示されたレイアウトの指示は仮想用紙生成部７および印刷データ生成部９に渡される。
【００２９】
なお、レイアウト指示部６は、機能として、Ｎｉｎ１コピーの分割された範囲の結合を指示する結合指示手段１２、当該範囲の分割を指示する分割指示手段１３、当該範囲それぞれに頁を設定する頁設定手段１４を有する。
【００３０】
仮想用紙生成部７は、印刷属性指示部４から指示された印刷属性、分割形式指示部５から指示されたＮｉｎ１コピーの分割方式、レイアウト指示部６から指示されたレイアウトの指示に基づき、印刷設定画面表示用の仮想用紙を生成する処理を行い、ここで生成された仮想用紙および仮想用紙の枚数（つまり、印刷枚数）は印刷設定画面表示制御部８に渡される。
【００３１】
印刷設定画面表示制御部８は、印刷設定画面を表示装置３に表示する処理を行う。ここで、仮想用紙生成部７から仮想用紙および仮想用紙の枚数を受け取ると、受け取った仮想用紙および仮想用紙の枚数を印刷設定画面上に表示する。なお、仮想用紙の枚数とともに、原稿の枚数を印刷設定画面上に表示する構成でも適用可能である。
【００３２】
印刷データ生成部９は、印刷属性指示部４から指示された印刷属性、分割形式指示部５から指示されたＮｉｎ１コピーの分割方式、レイアウト指示部６から指示されたレイアウトの指示に基づき、画像から印刷データを生成する処理を行い、ここで生成された印刷データは印刷データ送信部１０に渡される。
【００３３】
印刷データ送信部１０は、印刷データ生成部９から受け取った印刷データをプリンタ２に送信する処理を行う。
【００３４】
次に、印刷処理装置が行うＮｉｎ１コピーのレイアウト処理処理について図２に示すフローチャートを参照して説明する。
【００３５】
画像を受け付け（ステップＳ２０１）、印刷設定画面表示部が表示装置に印刷設定画面を表示する（ステップＳ２０２）。
【００３６】
ここで、優先モード指示部により最多サイズ画像優先モード以外の優先モードが指示された場合（ステップＳ２０３でＮＯ）、図３に示すフローチャートの処理を実施する。
【００３７】
優先モード指示部により最多サイズ画像優先モードが指示された場合（ステップＳ２０３でＹＥＳ）、印刷属性指示部により印刷属性を設定し（ステップＳ２０４）、設定した印刷属性に基づいて仮想用紙生成部が生成した仮想用紙を印刷設定画面表示制御部が表示装置に表示し（ステップＳ２０５）、分割形式指示部により最多サイズ画像を設定し（ステップＳ２０６）、設定した最多サイズ画像に基づいて仮想用紙生成部が仮想用紙に付与した分割破線を印刷設定画面表示制御部が表示装置に表示し（ステップＳ２０７）、レイアウト指示部により各頁の大きさを設定し（ステップＳ２０８）、結合指示手段による結合処理および分割指示手段による分割処理を行い（ステップＳ２０９）、レイアウト指示部により頁位置を設定する（ステップＳ２１０）。
【００３８】
ここで、頁設定指示手段により頁追加・削除が有る場合（ステップＳ２１１でＹＥＳ）、ステップＳ２０８に戻る。
【００３９】
頁設定指示手段により頁追加・削除が無い場合（ステップＳ２１１でＮＯ）、設定した印刷属性、分割方式およびレイアウト指示に基づいて印刷データ生成部が画像から印刷データを生成し（ステップＳ２１２）、レイアウト処理を終了する。
【００４０】
次に、図２に示すフローチャートにおいて、優先モード指示部により最多サイズ画像優先モード以外の優先モードが指示された場合に行われるレイアウト処理について図３に示すフローチャートを参照して説明する。
【００４１】
優先モード指示部により最大サイズ画像優先モード以外の優先モードが指示された場合（ステップＳ３０１でＮＯ）、図４に示すフローチャートの処理を実施する。
【００４２】
優先モード指示部により最大サイズ画像優先モードが指示された場合（ステップＳ３０１でＹＥＳ）、印刷属性指示部により印刷属性を設定し（ステップＳ３０２）、設定した印刷属性に基づいて仮想用紙生成部が生成した仮想用紙を印刷設定画面表示制御部が表示装置に表示し（ステップＳ３０３）、分割形式指示部により最大サイズ画像を設定し（ステップＳ３０４）、設定した最大サイズ画像に基づいて仮想用紙生成部が仮想用紙に付与した分割破線を印刷設定画面表示制御部が表示装置に表示し（ステップＳ３０５）、結合指示手段による結合処理および分割指示手段による分割処理を行い（ステップＳ３０６）、レイアウト指示部により頁位置を設定する（ステップＳ３０７）。
【００４３】
ここで、頁設定指示手段により頁追加・削除が有る場合（ステップＳ３０８でＹＥＳ）、ステップＳ３０６に戻る。
【００４４】
頁設定指示手段により頁追加・削除が無い場合（ステップＳ３０８でＮＯ）、図２に示すフローチャートのステップＳ２１２に進む。
【００４５】
次に、図３に示すフローチャートにおいて、優先モード指示部により最大サイズ画像優先モード以外の優先モードが指示された場合に行われるレイアウト処理について図４に示すフローチャートを参照して説明する。
【００４６】
優先モード指示部により印刷枚数優先モードが指示された場合（ステップＳ４０１でＮＯ）、図５に示すフローチャートの処理を実施する。
【００４７】
優先モード指示部により最小サイズ画像優先モードが指示された場合（ステップＳ４０１でＹＥＳ）、印刷属性指示部により印刷属性を設定し（ステップＳ４０２）、設定した印刷属性に基づいて仮想用紙生成部が生成した仮想用紙を印刷設定画面表示制御部が表示装置に表示し（ステップＳ４０３）、分割形式指示部により最小サイズ画像を設定し（ステップＳ４０４）、分割形式指示部によりＮｉｎ１を設定し（ステップＳ４０５）、設定した最小サイズ画像およびＮｉｎ１に基づいて仮想用紙生成部が仮想用紙に付与した分割破線を印刷設定画面表示制御部が表示装置に表示し（ステップＳ４０６）、結合指示手段による結合処理を行い（ステップＳ４０７）、レイアウト指示部により頁位置を設定する（ステップＳ４０８）。
【００４８】
ここで、頁設定指示手段により頁追加・削除が有る場合（ステップＳ４０９でＹＥＳ）、ステップＳ４０７に戻る。
【００４９】
頁設定指示手段により頁追加・削除が無い場合（ステップＳ４０９でＮＯ）、図２に示すフローチャートのステップＳ２１２に進む。
【００５０】
次に、図４に示すフローチャートにおいて、優先モード指示部により印刷枚数優先モードが指示された場合に行われるレイアウト処理について図５に示すフローチャートを参照して説明する。
【００５１】
優先モード指示部により印刷枚数優先モードが指示され（ステップＳ５０１）、印刷属性指示部により印刷属性を設定し（ステップＳ５０２）、分割形式指示部により印刷枚数を設定し（ステップＳ５０３）、設定した印刷属性および印刷枚数に基づいて仮想用紙生成部が生成した分割破線付き仮想用紙を印刷設定画面表示制御部が表示装置に表示し（ステップＳ５０４）、結合指示手段による結合処理および分割指示手段による分割処理を行い（ステップＳ５０５）、レイアウト指示部により頁位置を設定する（ステップＳ５０６）。
【００５２】
ここで、頁設定指示手段により頁追加・削除が有る場合（ステップＳ５０７でＹＥＳ）、ステップＳ５０５に戻る。
【００５３】
頁設定指示手段により頁追加・削除が無い場合（ステップＳ５０７でＮＯ）、図２に示すフローチャートのステップＳ２１２に進む。
【００５４】
次に、印刷設定画面について詳細に説明する。
【００５５】
図６は、印刷設定画面の一例を示す図である。
【００５６】
図６に示すように、印刷設定画面において、印刷属性（用紙サイズ、印刷頁、部数、原稿の向き、用紙の向き）の設定、優先モード（最多サイズ画像優先モード、最大サイズ画像優先モード、最小サイズ画像優先モード、印刷枚数優先モード）の選択、Ｎｉｎ１の指示、結合処理・分割処理の指示、頁の追加・削除の指示を行うことができる。
【００５７】
なお、印刷設定画面上で行った設定、選択、指示に基づいて生成した仮想用紙が仮想用紙表示エリアに表示され、印刷の枚数（つまり、仮想用紙の枚数）および原稿の枚数が表示される。従って、ユーザはこの仮想用紙表示エリアに表示される仮想用紙を参考してＮｉｎ１のレイアウト処理を行う。なお、印刷の枚数は、片面印刷プリンタに対して、偶数枚数の場合、１／２枚になり、奇数枚数の場合、１／２＋１枚の表示になる。
【００５８】
次に、具体的なレイアウト処理について詳細に説明する。
【００５９】
用紙の大きさがＡ４、原稿の向きが縦、用紙の向きが縦の印刷属性で、原稿３枚を３ｉｎ１、２ページ目を大きくして印刷する条件を最多サイズ画像優先モードでレイアウト処理する場合を第１の具体例とする。
【００６０】
図７は、レイアウト処理の第１の具体例を示す図である。
【００６１】
印刷設定画面において、用紙サイズを「Ａ４」、原稿の向きを「縦」、用紙の向きを「縦」に設定すると、仮想用紙表示エリアに上記の設定に対応する仮想用紙が表示される（図７（ａ）参照）。
【００６２】
次に、印刷設定画面において、「最多サイズ画像優先モード」、「４ｉｎ１」を選択すると、仮想用紙表示エリアの仮想用紙が破線で４分割される（図７（ｂ）参照）。
【００６３】
次に、印刷設定画面において、「結合処理」を選択し、仮想用紙表示エリアの仮想用紙の「左下の範囲」および「右下の範囲」をマウス等でクリックすると、仮想用紙表示エリアの仮想用紙の左下の範囲と右下の範囲とが結合する（図７（ｃ）参照）。
【００６４】
次に、印刷設定画面とは別に表示された頁大きさ設定画面において、頁１の大きさを「４ｉｎ１」、頁２の大きさを「２ｉｎ１」、頁３の大きさを「４ｉｎ１」に設定すると、仮想用紙表示エリアの仮想用紙の分割された範囲に頁番号が表示される（図７（ｄ）参照）。
【００６５】
そして、ユーザは図７（ｄ）に示す仮想用紙から自分が所望する条件通りのレイアウトになったことを確認し、印刷を開始する。
【００６６】
用紙の大きさがＡ４、原稿の向きが縦、用紙の向きが縦の印刷属性で、原稿５枚を５ｉｎ１、５ページ目を大きくして印刷する条件を最大サイズ画像優先モードでレイアウト処理する場合を第２の具体例とする。
【００６７】
図８は、レイアウト処理の第２の具体例を示す図である。
【００６８】
印刷設定画面において、用紙サイズを「Ａ４」、原稿の向きを「縦」、用紙の向きを「縦」に設定すると、仮想用紙表示エリアに上記の設定に対応する仮想用紙が表示される（図８（ａ）参照）。
【００６９】
次に、印刷設定画面において、「最大サイズ画像優先モード」、「２ｉｎ１」を選択し、印刷設定画面とは別に表示された最大頁設定画面において、「５」を設定すると、仮想用紙表示エリアの仮想用紙が破線で２分割され、仮想用紙の下の範囲に頁５が表示される（図８（ｂ）参照）。なお、最大サイズの頁が複数ある場合は、最大頁設定画面に該当する頁数を入力する。
【００７０】
次に、印刷設定画面において、「分割処理」を選択し、仮想用紙表示エリアの仮想用紙の「上の範囲」をマウス等でクリックし、印刷設定画面とは別に表示された分割設定画面において、「８ｉｎ１」を選択すると、仮想用紙表示エリアの仮想用紙の上の範囲が４分割（用紙全体から見れば８分割）し、分割された範囲に頁番号が表示される（図８（ｃ）参照）。
【００７１】
次に、仮想用紙表示エリアの仮想用紙の「頁５が表示された範囲」をマウス等でクリックして仮想用紙の「上の範囲（頁１〜頁４の範囲）」にあげると、仮想用紙の頁５と仮想用紙の頁１〜頁４とが入れ替わり、続いて、「頁１の範囲」をクリックして「頁３の範囲」に被せると、頁１と頁３とが入れ替わり、「頁２の範囲」をクリックして「頁４の範囲」に被せると、頁２と頁４とが入れ替わる（図８（ｄ）参照）。
【００７２】
そして、ユーザは図８（ｄ）に示す仮想用紙から自分が所望する条件通りのレイアウトになったことを確認し、印刷を開始する。
【００７３】
用紙の大きさがＡ４、原稿の向きが縦、用紙の向きが縦の印刷属性で、原稿５枚を５ｉｎ１、５ページ目を大きくして印刷する条件を最小サイズ画像優先モードでレイアウト処理する場合を第３の具体例とする。
【００７４】
図９は、レイアウト処理の第３の具体例を示す図である。
【００７５】
印刷設定画面において、用紙サイズを「Ａ４」、原稿の向きを「縦」、用紙の向きを「縦」に設定すると、仮想用紙表示エリアに上記の設定に対応する仮想用紙が表示される（図９（ａ）参照）。
【００７６】
次に、印刷設定画面において、「最小サイズ画像優先モード」、「８ｉｎ１」を選択すると、仮想用紙表示エリアの仮想用紙が破線で８分割され、分割された範囲に頁番号が表示される（図９（ｂ）参照）。
【００７７】
次に、印刷設定画面において、「結合処理」を選択し、仮想用紙表示エリアの仮想用紙の「上から１番目の左の範囲」、「上から１番目の右の範囲」、「上から２番目の左の範囲」および「上から２番目の右の範囲」をマウス等でクリックすると、仮想用紙表示エリアの仮想用紙の上から１番目の左の範囲と、上から１番目の右の範囲と、上から２番目の左の範囲と、上から２番目の右の範囲とが結合し、結合した範囲に頁５が表示される（図９（ｃ）参照）。
【００７８】
次に、仮想用紙表示エリアの仮想用紙の「頁３が表示された範囲」をマウス等でクリックして仮想用紙の「頁２が表示された範囲」に被せると、仮想用紙の頁３と仮想用紙の頁２とが入れ替わる（図９（ｄ）参照）。
【００７９】
そして、ユーザは図９（ｄ）に示す仮想用紙から自分が所望する条件通りのレイアウトになったことを確認し、印刷を開始する。
【００８０】
用紙の大きさがＡ４、原稿の向きが縦、用紙の向きが縦の印刷属性で、原稿５枚を２枚の用紙で印刷するとともに、１、３、５ページ目を大きくして印刷する条件を印刷枚数優先モードでレイアウト処理する場合を第４の具体例とする。
【００８１】
図１０は、レイアウト処理の第４の具体例を示す図である。
【００８２】
印刷設定画面において、用紙サイズを「Ａ４」、原稿の向きを「縦」、用紙の向きを「縦」、「印刷枚数優先モード」、印刷枚数を「２」に設定すると、仮想用紙表示エリアに上記の設定に対応する２枚の仮想用紙が表示される（図１０（ａ）参照）。
【００８３】
次に、印刷設定画面において、「結合処理」を選択し、仮想用紙表示エリアの１枚目の仮想用紙の「左下の範囲」および「右下の範囲」をマウス等でクリックし、仮想用紙表示エリアの２枚目の仮想用紙の「全範囲」をマウス等でクリックすると、仮想用紙表示エリアの１枚目の仮想用紙の左下の範囲と右下の範囲とが結合し、２枚目の仮想用紙の全範囲が結合し、２枚の仮想用紙の分割された範囲の合計が５になったなので、２枚の仮想用紙の分割された書く範囲に頁番号設定欄が表示される（図１０（ｂ）参照）。
【００８４】
次に、仮想用紙表示エリアの２枚の仮想用紙の分割された各範囲に表示された頁番号設定欄に「頁番号」を設定すると、仮想用紙の分割された各範囲に頁番号が表示される（図１０（ｄｃ）参照）。
【００８５】
そして、ユーザは図１０（ｃ）に示す仮想用紙から自分が所望する条件通りのレイアウトになったことを確認し、印刷を開始する。
【００８６】
次に、組み合わせ可能なＮｉｎ１のレイアウトについて詳細に説明する。なお、通常のＮｉｎ１は当然可能であるので、通常のＮｉｎ１のレイアウトについての説明は省略する。
【００８７】
図１１は、組み合わせ可能なＮｉｎ１のレイアウトの具体例を示す図である。なお、具体例として、頁１を最大または、他の頁と同大にした配置を示す。
【００８８】
図１１（ａ）は３ｉｎ１のレイアウト例であり、図１１（ｂ）は４ｉｎ１のレイアウト例であり、図１１（ｃ）は５ｉｎ１のレイアウト例であり、図１１（ｄ）は４ｉｎ２のレイアウト例であり、図１１（ｄ）は５ｉｎ２のレイアウト例であり、図１１（ｅ）は６ｉｎ２のレイアウト例である。
【００８９】
図１１に示すように、空白の挿入も行うことができる。
【００９０】
なお、本発明は、上記実施の形態で説明した印刷処理装置と同様の処理を行うことが可能なプリンタドライバとして、一般的なＰＣ等の汎用電子計算機にインストールする構成でも適用可能である。
【００９１】
また、プリンタが両面印刷の機能を有する場合、仮想用紙２枚分を１枚の用紙に印字する構成でも適用可能である。
【００９２】
また、本発明は、上記実施の形態で説明した印刷処理装置と同様の処理を行うことが可能な印刷処理プログラムを、ドキュメントハンドリングソフトウェア等で利用することができる構成でも適用可能である。
【図面の簡単な説明】
【００９３】
【図１】本発明に係る印刷処理装置１の機能的な構成の一例を示すブロック図である。
【図２】印刷処理装置が行うＮｉｎ１コピーのレイアウト処理処理を示すフローチャートである。
【図３】図２に示すフローチャートにおいて、優先モード指示部により最多サイズ画像優先モード以外の優先モードが指示された場合に行われるレイアウト処理を示すフローチャートである。
【図４】図３に示すフローチャートにおいて、優先モード指示部により最大サイズ画像優先モード以外の優先モードが指示された場合に行われるレイアウト処理を示すフローチャートである。
【図５】図４に示すフローチャートにおいて、優先モード指示部により印刷枚数優先モードが指示された場合に行われるレイアウト処理を示すフローチャートである。
【図６】印刷設定画面の一例を示す図である。
【図７】レイアウト処理の第１の具体例を示す図である。
【図８】レイアウト処理の第２の具体例を示す図である。
【図９】レイアウト処理の第３の具体例を示す図である。
【図１０】レイアウト処理の第４の具体例を示す図である。
【図１１】組み合わせ可能なＮｉｎ１のレイアウトの具体例を示す図である。
【符号の説明】
【００９４】
１    印刷処理装置
２    プリンタ
３    表示装置
４    印刷属性指示部
５    分割形式指示部
６    レイアウト指示部
７    仮想用紙生成部
８    印刷設定画面表示制御部
９    印刷データ生成部
１０    印刷データ送信部
１１    優先モード指示手段
１２    結合指示手段
１３    分割指示手段
１４    頁設定指示手段
【図１】
2005269539.tif 000003
【図２】
2005269539.tif 000004
【図３】
2005269539.tif 000005
【図４】
2005269539.tif 000006
【図５】
2005269539.tif 000007
【図６】
2005269539.tif 000008
【図７】
2005269539.tif 000009
【図８】
2005269539.tif 000010
【図９】
2005269539.tif 000011
【図１０】
2005269539.tif 000012
【図１１】
2005269539.tif 000013